(57)【要約】【課題】  施工が容易で、施工後における掘削面の崩壊や基礎の沈下のおそれがなく、掘削土の処理コストを削減できる床下収納空間およびその施工方法を提供する。【解決手段】  床下収納空間１１は、住宅の一階の床下から地下にかけて形成されており、布基礎である基礎２と、基礎２の下方に形成された地盤強化体３とに囲まれている。そして、地盤強化体３の下端辺から地盤１のせん断抵抗角φで延びるせん断面Ｓの上方に位置している。地盤強化体３は、住宅の荷重を基礎２を介して受け、下方の地盤へと伝えるものである。【選択図】      図２
2005042535.tif 000002
【特許請求の範囲】
【請求項１】
住宅の基礎に囲まれる一階の床下から地下にかけて、前記基礎の下方に設けられた地盤強化体の下端辺から地盤のせん断抵抗角で下方に延びるせん断面の上方に位置するように形成してなることを特徴とする床下収納空間。
【請求項２】
住宅の基礎に囲まれる一階の床下から地下にかけて、前記基礎の下方に設けられた地盤強化体の下端辺から地盤のせん断抵抗角で下方に延びるせん断面の上方にある地盤を掘削して形成される掘削面に仕上を施してなることを特徴とする床下収納空間。
【請求項３】
前記住宅の地盤には、地盤改良が施されていることを特徴とする請求項１または請求項２に記載の床下収納空間。
【請求項４】
前記地盤強化体は、コンクリートまたはスラリー状のソイルセメントから形成してなることを特徴とする請求項１から請求項３のいずれか一項に記載の床下収納空間。
【請求項５】
住宅の基礎に囲まれる一階の床下から地下にかけて形成される床下収納空間の施工方法であって、
地盤強化体を形成する部分と、この地盤強化体を形成する部分の下端辺から地盤のせん断抵抗角で下方に延びるせん断面の上方と、に位置する地盤を掘削する第一工程と、
前記第一工程で地盤を掘削することにより形成された空間の内周側部に、地盤強化体を形成する第二工程と、
前記地盤強化体の上に、前記基礎を構築するとともに、地盤の掘削面に仕上を施す第三工程と、を含むことを特徴とする床下収納空間の施工方法。
【請求項６】
住宅の基礎に囲まれる一階の床下から地下にかけて形成される床下収納空間の施工方法であって、
地盤に地盤強化体を形成する第一工程と、
前記地盤強化体に囲まれ、この地盤強化体の下端辺から地盤のせん断抵抗角で下方に延びるせん断面の上方に位置する地盤を掘削する第二工程と、
前記地盤強化体の上に前記基礎を構築するとともに、地盤の掘削面に仕上を施す第三工程と、を含むことを特徴とする床下収納空間の施工方法。
【請求項７】
前記住宅の地盤に、予め地盤改良を施すことを特徴とする請求項５または請求項６に記載の床下収納空間の施工方法。
【請求項８】
地盤を掘削することにより発生した掘削土を、前記住宅の他の基礎に囲まれる床下領域に盛り替えることを特徴とする請求項５から請求項７のいずれか一項に記載の床下収納空間の施工方法。
【請求項９】
前記地盤強化体は、コンクリートまたはスラリー状のソイルセメントから形成されることを特徴とする請求項５から請求項８のいずれか一項に記載の床下収納空間の施工方法。
【発明の詳細な説明】
【技術分野】
【０００１】
本発明は、住宅の床下から地下にかけて形成される床下収納空間およびその施工方法に関する。
【背景技術】
【０００２】
住宅における収納スペースの確保は、住みやすさ等を決定する重要な事項である。そのためにさまざまな方法がとられており、例えば小屋裏や中間階（中二階や、一階の天井と二階の床との間）に収納スペースをとることが行われている。
【０００３】
しかしながら、小屋裏や中間階に形成された収納スペースには、以下に示す問題点があった。
（１）  住宅の上部に位置するため、重い物を収納するときには持ち運びが大変であり不便である。
（２）  火災や地震等の災害時には、収納された物が焼失、損壊等の被害を受ける。
【０００４】
一方で、一階の床下から地下にかけて形成される床下収納スペースは、物の持ち運びが容易であり、また収納された物は焼失、損壊等の被害を受けにくい。さらには温度等の収納環境が安定しているといった利点がある（例えば、特許文献１参照。）。図１０は、特許文献１に記載の床下収納室を示す鉛直断面図である。床下収納室は、通路空間Ａ、大収納空間Ｂおよび小収納空間Ｃにより構成される。通路空間ＡはＦＲＰ（繊維強化プラスチック）タンク９０１の下部をワイヤーメッシュ入りコンクリート９０５ａに埋め込む形で形成されている。床下収納室の天井となる住宅の一階の床９０２には、開閉自在の出入口９０３があり、そこから梯子９０４を利用して昇降を行う。各収納空間Ｂ，Ｃの水平面および壁面にはワイヤーメッシュ入りコンクリート９０５ｂ，９０５ｃ，９０５ｄが打設されており、収納室の水平面の下部や、基礎９０６の下部にはそれぞれ栗石９０７ａ，９０７ｂ，９０７ｃ，９０７ｄが敷き込まれている。また、ワイヤーメッシュ入りコンクリート９０５ｂの上面にはモルタル９０８が塗られ、内側に向かって下がるように水勾配が形成されている。
【０００５】
続いて、特許文献１における［考案の実施の形態］の記載をもとに推測される、床下収納室の施工方法について図を参照しながら説明する。図１１は特許文献１に記載の床下収納室の施工方法を説明する図であり、（ａ）は通路空間掘削工程Ｓ９１を示す鉛直断面図、（ｂ）はＦＲＰタンク設置工程Ｓ９２を示す鉛直断面図、（ｃ）はコンクリート打設工程Ｓ９３を示す鉛直断面図、（ｄ）は埋め戻し工程Ｓ９４を示す鉛直断面図、（ｅ）は収納空間掘削工程Ｓ９５を示す鉛直断面図、（ｆ）はコンクリート打設工程Ｓ９６を示す鉛直断面図、（ｇ）はコンクリート打設工程Ｓ９６の終了状態を示す鉛直断面図である。
【０００６】
（Ｓ９１）  通路空間掘削工程
まず、地盤を掘削して掘削面Ｄ，Ｅを形成し、ＦＲＰタンク９０１を設置可能な状態とする（図１１（ａ））。
【０００７】
（Ｓ９２）  ＦＲＰタンク設置工程
続いて、掘削面Ｄに栗石９０７ａを敷き込み、その上にワイヤーメッシュ９０９ａを配置し、型枠９１０ａを建て込む。その後ワイヤーメッシュ９０９ａの上にＦＲＰタンク９０１を設置する（図１１（ｂ））。
【０００８】
（Ｓ９３）  コンクリート打設工程
続いて、型枠９１０ａ内にコンクリートを流し込み、ワイヤーメッシュ入りコンクリート９０５ａを打設する。ＦＲＰタンク９０１の下部はワイヤーメッシュ入りコンクリート９０５ａに埋め込まれた状態となる。コンクリートの固化後、型枠９１０ａを撤去する（図１１（ｃ））。
【０００９】
（Ｓ９４）  埋め戻し工程
続いて、ＦＲＰタンク９０１の外周部に土を埋め戻す（図１１（ｄ））。
【００１０】
（Ｓ９５）  収納空間掘削工程
続いて、地盤を段々状に掘削し、掘削面Ｆ，Ｇ，Ｈを形成する（図１１（ｅ））。掘削面Ｆは、埋め戻し工程Ｓ９４で埋め戻された部分から連続する水平面である。本工程での掘削は、大収納空間Ｂはモルタル９０８がＦＲＰタンク９０１の開口部の高さになるように、そして小収納空間Ｃはワイヤーメッシュ入りコンクリート９０５ｄが地表よりやや高い位置になるように行われる。
【００１１】
（Ｓ９６）  コンクリート打設工程
続いて、掘削面Ｆ，Ｈに栗石９０７ｂ，９０７ｃを敷き込み、その上にワイヤーメッシュ９０９ｂ，９０９ｄを、掘削面Ｇの内側にワイヤーメッシュ９０９ｃを配置し、さらに型枠９１０ｂを建て込む（図１１（ｆ））。その後掘削面Ｆ，Ｈの上面や、掘削面Ｇと型枠９１０ｂの間にコンクリートを流し込み、段々状のワイヤーメッシュ入りコンクリート９０５ｂ，９０５ｃ，９０５ｄを打設する。コンクリートの固化後、型枠９１０ｂを撤去する（図１１（ｇ））。
【００１２】
上述した各工程の終了後、ワイヤーメッシュ入りコンクリート９０５ｂの上部にモルタル９０８を、外側から内側へ傾斜した水勾配となるように塗る。また、上述した各工程の他に、住宅の基礎９０６を施工する基礎施工工程や床下収納室に防水加工を施工する防水工程等が適宜組み込まれる。そして、梯子９０４の設置等が行われ、最終的に図１０の状態となる。なお、上述した説明では基礎施工工程は通路空間掘削工程Ｓ９１の前に行われていると仮定しているが、基礎９０６のフーチングの上部に栗石９０７ｃが敷き込まれていることから、基礎施工工程は少なくともコンクリート打設工程Ｓ９６より前に行われるものと考えられる。
【特許文献１】登録実用新案第３０６９４４１号公報（図３、段落０００６−００１３）
【発明の開示】
【発明が解決しようとする課題】
【００１３】
しかしながら、特許文献１に記載の床下収納室には、以下に示す問題があった。
（１）  施工工程の流れを簡単に表すと、掘削（Ｓ９１）→ＦＲＰタンク設置（Ｓ９２）→コンクリート打設（Ｓ９３）→埋め戻し（Ｓ９４）→掘削（Ｓ９５）→コンクリート打設（Ｓ９６）となる。つまり掘削がＳ９１，Ｓ９５、コンクリート打設がＳ９３，Ｓ９６とそれぞれ二工程ずつに分かれており、このことが作業の煩雑化をまねいている。
（２）  床下収納室の施工後にワイヤーメッシュ入りコンクリート９０５ｃが崩壊したり、基礎９０６が沈下したりするおそれがある。これら崩壊や沈下を防ぐためには、ワイヤーメッシュ入りコンクリート９０５ｃ等の壁面の強度を大きくする必要があり、そのための手間やコストがかかる。
（３）  床下収納室を形成する際に発生する掘削土の処理が必要であり、そのためのコストがかさむ。
（４）  掘削面Ｄ，Ｆ，Ｈや基礎９０６の下部に栗石９０７ａ，９０７ｂ，９０７ｃ，９０７ｄを敷き込んだり、コンクリートの強度を増すためにワイヤーメッシュ９０９ａ，９０９ｂ，９０９ｃ，９０９ｄを配置したりする作業が必要であり、作業の手間やコストがかかる。
（５）  通路空間ＡはＦＲＰタンク９０１によって形成されるため、その分のコストが必要となる。またＦＲＰタンク９０１の外周部に土を埋め戻す作業が必要であり、作業の煩雑化をまねいている。
【００１４】
そこで本発明は、上述した問題点に鑑みて創案されたものであり、施工が容易で、施工後における掘削面の崩壊や基礎の沈下のおそれがなく、掘削土の処理コストを削減できる床下収納空間およびその施工方法を提供することを課題としている。
【課題を解決するための手段】
【００１５】
前記課題を解決するために、請求項１に記載の床下収納空間は、住宅の基礎に囲まれる一階の床下から地下にかけて、前記基礎の下方に設けられた地盤強化体の下端辺から地盤のせん断抵抗角で下方に延びるせん断面の上方に位置するように形成してなる構成とした。
【００１６】
ここで、せん断抵抗角について説明する。図１２はせん断抵抗角の説明図であり、地盤のせん断面と土中に働く力との関係を示している。土中に働く垂直応力σとせん断強度τとの関係は、式（１）のように示すことができる。ｃは、任意の定数（地盤の粘着力等により定まる）である。
τ  ＝  ｃ  ＋  σ・ｔａｎφ      ・・・（１）
【００１７】
式（１）で示される直線と横軸（σ方向）とのなす角φがせん断抵抗角（安息角、内部摩擦角ともいう）である。地盤の面が、せん断面（本発明では、水平面からせん断抵抗角φで傾く仮想面のことを指す。）よりも大きい角度を有する場合には、その面は不安定となり、せん断破壊を生じるおそれがある。
【００１８】
ここでいう「地盤強化体」は、地盤の強度が高められたものであり、例えば「地盤改良体」や「ラップルコンクリート」のことである。このうち「地盤改良体」は、置換、固結、補強等により強度が高められた地盤である。また「ラップルコンクリート」は、粗石コンクリートとも呼ばれており、骨材として、通常よりも大きい（径１５０ｍｍ程度）玉石や砕石を含んだコンクリートであり、ここでは地盤を掘削除去した場所に形成される。基礎の下方に、地盤強化体を設けることにより、住宅の荷重は、基礎から、地盤強化体を介して、その下の地盤に伝えられる。
【００１９】
なお、地盤強化体は、住宅の荷重を受けるのに十分な強度を有していればよい。その水平断面形状は、上方にある基礎のフーチングと同一形状またはそれよりも大きく形成されることが望ましい。
【００２０】
また、地盤強化体の下端辺とは、基礎の下端辺の鉛直下方のことである。したがって、地盤強化体が、基礎よりも内側（床下収納空間側）に厚みを有する場合であっても、基礎の下端辺の鉛直下方に位置する地盤強化体から、せん断面が延びることになる。
【００２１】
かかる構成により、床下収納空間は基礎の下方に形成された地盤強化体の下端辺から延びるせん断面の上方に形成されるので、住宅の荷重の影響によって、床下収納空間が破壊されたり、基礎が沈下したりするおそれがない。
【００２２】
また、請求項２に記載の床下収納空間は、住宅の基礎に囲まれる一階の床下から地下にかけて、前記基礎の下方に設けられた地盤強化体の下端辺から地盤のせん断抵抗角で下方に延びるせん断面の上方にある地盤を掘削して形成される掘削面に仕上を施してなる構成とした。
【００２３】
ここでいう「仕上」とは、ワイヤーメッシュ等による補強を行うことなく、掘削面にモルタルを塗ったり、化粧板（パネル）を取り付けたり、シートを貼り付けたりすることにより内装を施すことを指す。したがって、構造体を用いることがなく、施工が容易な床下収納空間を提供することができる。
【００２４】
また、請求項３に記載の床下収納空間は、請求項１または請求項２に記載の床下収納空間であって、前記住宅の地盤には、地盤改良が施されている構成とした。
【００２５】
かかる構成により、床下収納空間が形成される地盤の強度が大きくなり、その結果、地盤のせん断抵抗角が大きくなる。したがって、より深く形成しても、基礎が沈下したり、床下収納空間が崩壊したりするおそれがない。
【００２６】
また、請求項４に記載の床下収納空間は、請求項１から請求項３のいずれか一項に記載の床下収納空間であって、前記地盤強化体は、コンクリートまたはスラリー状のソイルセメントから形成してなる構成とした。
【００２７】
かかる構成により、コンクリートまたはスラリー状のソイルセメントは、締固めの簡略化または省略が可能な地盤強化体であるため、施工が容易となる。また、かかるソイルセメントの原料として、地盤を掘削することにより発生した掘削土を使用する場合には、掘削土の処理にかかるコストを削減できる。
【００２８】
また、請求項５に記載の床下収納空間の施工方法は、住宅の基礎に囲まれる一階の床下から地下にかけて形成される床下収納空間の施工方法であって、地盤強化体を形成する部分と、この地盤強化体を形成する部分の下端辺から地盤のせん断抵抗角で下方に延びるせん断面の上方と、に位置する地盤を掘削する第一工程と、前記第一工程で地盤を掘削することにより形成された空間の内周側部に、地盤強化体を形成する第二工程と、前記地盤強化体の上に、前記基礎を構築するとともに、地盤の掘削面に仕上を施す第三工程と、を含む構成とした。
【００２９】
かかる構成により、施工が容易で、施工後における掘削面の崩壊や基礎の沈下のおそれのない床下収納空間の施工方法を提供することができる。なお、第三工程において、基礎の構築と、仕上との順序は、どちらが先であってもよく、同時進行であってもよい。
【００３０】
また、請求項６に記載の床下収納空間の施工方法は、住宅の基礎に囲まれる一階の床下から地下にかけて形成される床下収納空間の施工方法であって、地盤に地盤強化体を形成する第一工程と、前記地盤強化体に囲まれ、この地盤強化体の下端辺から地盤のせん断抵抗角で下方に延びるせん断面の上方に位置する地盤を掘削する第二工程と、前記地盤強化体の上に前記基礎を構築するとともに、地盤の掘削面に仕上を施す第三工程と、を含む構成とした。
【００３１】
かかる構成により、予め地盤強化体を形成した後に地盤を掘削するので、施工中においても地盤の崩壊を防ぐことができる。なお、第三工程において、基礎の構築と、仕上との順序は、どちらが先であってもよく、同時進行であってもよい。
【００３２】
また、請求項７に記載の床下収納空間の施工方法は、請求項５または請求項６に記載の床下収納空間の施工方法であって、前記住宅の地盤に、予め地盤改良を施す構成とした。
【００３３】
かかる構成により、地盤のせん断抵抗角が大きくなるので、掘削可能な領域が大きくなり、床下収納空間の形状の自由度が大きくなる。また、地盤が適度な強度を有するようになるので、掘削が容易になる。また、施工中における地盤の崩壊を防ぐことができる。
【００３４】
また、請求項８に記載の床下収納空間の施工方法は、請求項５から請求項７のいずれか一項に記載の床下収納空間の施工方法であって、地盤を掘削することにより発生した掘削土を、前記住宅の他の基礎に囲まれる床下領域に盛り替える構成とした。
【００３５】
かかる構成により、住宅の敷地内で掘削土を処理することができるので、掘削土の処理にかかるコストを省ける。
【００３６】
また、請求項９に記載の床下収納空間の施工方法は、請求項５から請求項８のいずれか一項に記載の床下収納空間の施工方法であって、前記地盤強化体は、コンクリートまたはスラリー状のソイルセメントから形成される構成とした。
【００３７】
かかる構成により、第一工程において、地盤強化体を締固める作業を簡略化または省略することができ、施工が容易となる。また、かかるスラリー状のソイルセメントの原料として、地盤を掘削することにより発生した掘削土を使用する場合には、掘削土の処理にかかるコストを削減できる。
【発明の効果】
【００３８】
本発明の請求項１に記載の床下収納空間によれば、住宅の荷重の影響によって、床下収納空間が崩壊したり、基礎が沈下したりするおそれがない。
【００３９】
また、請求項２に記載の床下収納空間によれば、構造体を用いずに仕上を施すので施工が容易である。
【００４０】
また、請求項３に記載の床下収納空間によれば、より深く形成可能でありながら、床下収納空間が崩壊したり、基礎が沈下したりするおそれがない。
【００４１】
また、請求項４に記載の床下収納空間によれば、コンクリートまたはスラリー状のソイルセメントは、締固めの簡略化または省略が可能な地盤強化体であるため、施工が容易となる。
【００４２】
また、請求項５に記載の床下収納空間の施工方法によれば、施工が容易で、施工後における掘削面の崩壊や基礎の沈下のおそれのない床下収納空間の施工方法を提供することができる。
【００４３】
また、請求項６に記載の床下収納空間の施工方法によれば、予め地盤強化体を形成した後に地盤を掘削するので、施工中においても地盤の崩壊を防ぐことができる。
【００４４】
また、請求項７に記載の床下収納空間の施工方法によれば、掘削可能な領域が大きくなり、床下収納空間の形状の自由度が大きくなる。また、地盤が適度な強度を有するので、掘削が容易になる。また、施工中における地盤の崩壊を防ぐことができる。
【００４５】
また、請求項８に記載の床下収納空間の施工方法によれば、掘削土の処理にかかるコストを省ける。
【００４６】
また、請求項９に記載の床下収納空間の施工方法によれば、第一工程において、地盤強化体を締固める作業を簡略化または省略することができ、施工が容易となる。
【発明を実施するための最良の形態】
【００４７】
次に、本発明の実施の形態について適宜図面を参照しながら説明する。同様の部分には同一符号を付し、重複する説明は省略する。
【００４８】
（床下収納空間）
図１は、本発明の実施形態に係る床下収納空間を示す斜視図である。図２は、同鉛直断面図である。床下収納空間１１は、住宅の一階の床下から地下にかけて形成されており、布基礎である基礎２と、基礎２の下方に形成された地盤強化体３とに囲まれている。そして、地盤強化体３の下端辺から地盤１のせん断抵抗角φで延びるせん断面Ｓの上方に位置している。
【００４９】
地盤強化体３は、地盤の強度が高められたものであり、住宅の荷重を基礎２を介して受け、下方の地盤へと伝えるものである。
【００５０】
基礎２と地盤強化体３との間（継手部）には、ゴム製の止水板３１が介されている。この止水板３１は、基礎２と地盤強化体３との隙間から床下収納空間１１に地下水が染み込むことを防ぐためのものである。
【００５１】
床下収納空間１１は、ピット１２、床面１３、および壁面１４を有している。ピット１２は、床面１３の中央部分に、所定の深さに形成されている。ピット１２および床面１３は、地盤１を掘削して形成された掘削面に、モルタルによる仕上が施されたものである。また、壁面１４は、地盤強化体３の表面に、モルタルによる仕上が施されたものである。また、基礎２の床下収納空間１１側表面にもモルタルによる仕上が施されている。
【００５２】
床下収納空間１１の上方に位置し、その天井となる一階の床４には開閉自在な出入口４ａが形成され、利用者は出入口４ａから着脱可能な梯子２１を使って出入りを行う。そして、床面１３に物を収納することができる。この床面１３には、収納用の棚等を設置してもよい。
【００５３】
住宅の荷重は、基礎２、地盤強化体３を介して地盤１に伝えられる。床下収納空間１１は、せん断面Ｓの上方に位置しているので、床下収納空間のピット１２、床面１３および壁面１４が住宅の荷重による影響を受けることはない。したがって、基礎２が沈下したり、床下収納空間１１が崩れたりするおそれがない。また、床下収納空間１１のピット１２、床面１３および壁面１４は、地盤１の掘削面や地盤強化体３に仕上が施されたものであり、床下収納空間１１専用の構造体を用いることなく作ることができる。
【００５４】
ピット１２は、床下収納空間１１の排水のためのものである。また、ピット１２の上部には、床面１３と連続面となるよう、着脱可能な蓋２２が設けられる。床面１３から床下収納空間１１の天井、すなわち一階の床４までの高さは、１４００ｍｍ以下であることが望ましい。かかる構成により、床下収納空間１１の床面積が住宅の床面積に算入されない。また、ピット１２の深さは、利用者がピット１２に降りたときに、一階の床４に頭がぶつからない程度の深さに形成されることが望ましい。なお、ピット１２を形成しない構成も可能である。
【００５５】
（第一の施工方法）
次に、床下収納空間の第一の施工方法について、図面を参照しながら説明する。図３は、本発明の実施形態に係る床下収納空間の第一の施工方法の工程説明図であり、（ａ）は測定工程Ｓ１１を示す鉛直断面図、（ｂ）は掘削工程Ｓ１２を示す鉛直断面図である。図４は図３に続く工程説明図であり、（ａ）は地盤強化体形成工程Ｓ１３の途中状態を示す鉛直断面図、（ｂ）は地盤強化体形成工程Ｓ１３の終了状態を示す鉛直断面図である。図５は図４に続く工程説明図であり、（ａ）は基礎構築工程Ｓ１４を示す鉛直断面図、（ｂ）は仕上工程Ｓ１５を示す鉛直断面図である。
【００５６】
（Ｓ１１）  測定工程
住宅の地盤１のせん断抵抗角φを測定する。そして、測定されたせん断抵抗角φをもとに、地盤強化体３（図２参照）の深さや、床下収納空間１１（図２参照）の形状を決定する（図３（ａ））。
【００５７】
（Ｓ１２）  掘削工程
住宅の地盤１を掘削し、掘削面１ａ，１ｂ，１ｃ，１ｄ，１ｅを形成する（図３（ｂ））。掘削面１ａ，１ｃ，１ｄは水平面であり、掘削面１ｂ，１ｅは鉛直面である。また、掘削面１ｃ，１ｄは連続した水平面である。掘削面１ａ〜１ｅは、必要に応じて締固められる。この掘削工程Ｓ１２は、請求項５における第一工程に相当する。
【００５８】
（Ｓ１３）  地盤強化体形成工程
掘削面１ｃ，１ｄの境目に、型枠４１を設ける（図４（ａ））。この型枠４１は、型枠本体４２と、コンクリートパネルからなる化粧板４３とからなる。化粧板４３は、掘削面１ｅと対向しており、その掘削面１ｅ側にはアンカー４３ａが設けられている。
【００５９】
そして、掘削面１ｄ，１ｅ、型枠４１に囲まれた空間に、地盤強化体３を形成する（図４（ｂ））。地盤強化体形成工程Ｓ１３における地盤強化体３としては、ラップルコンクリートが好適である。その他、セメント等の改良材を混ぜた土を下層から順に堆積、転圧を繰り返し、所定の高さとした地盤改良体であってもよい。また、地盤強化体３の上面に止水板３１を立設する。地盤強化体３が固化すると、化粧板４３はアンカー４３ａによって地盤強化体３の側面に固定され、壁面１４（図２参照）となる。そして型枠本体４２を除去する。この地盤強化体形成工程Ｓ１３は、請求項５における第二工程に相当する。
【００６０】
（Ｓ１４）  基礎構築工程
地盤強化体３が固化した後、地盤強化体３の上に基礎２を構築する（図５（ａ））。この際、基礎２が止水板３１を内在させるよう施工する。また、基礎２の外側は埋め戻される。
【００６１】
（Ｓ１５）  仕上工程
掘削面１ａ，１ｂ，１ｃにモルタル５１を塗り、ピット１２および床面１３（図２参照）とする。また、基礎２の床下収納空間１１側面にモルタル５２を塗る。これら基礎構築工程Ｓ１４および仕上工程Ｓ１５は、請求項５における第三工程に相当する。また、基礎構築工程Ｓ１４と仕上工程Ｓ１５の順序は入れ替え可能であり、同時進行であってもよい。
【００６２】
この後、基礎２の上に住宅本体を施工し、一階の床４、出入口４ａ、梯子２１、蓋２２等、必要な設備を設置することにより、床下収納空間１１が使用可能な状態となる（図２）。
【００６３】
（第二の施工方法）
続いて、床下収納空間の第二の施工方法について図面を参照しながら説明する。図６は本発明の実施形態に係る床下収納空間の第二の施工方法の工程説明図であり、（ａ）は測定工程Ｓ２１を示す鉛直断面図、（ｂ）は地盤強化体形成工程Ｓ２２を示す鉛直断面図である。図７は図６に続く工程説明図であり、（ａ）は掘削工程Ｓ２３を示す鉛直断面図、（ｂ）は基礎構築工程Ｓ２４を示す鉛直断面図である。図８は図７に続く工程説明図であり、仕上工程Ｓ２５を示す鉛直断面図である。
【００６４】
（Ｓ２１）  測定工程
第一の施工方法における測定工程Ｓ１１と同様である（図６（ａ））。
【００６５】
（Ｓ２２）  地盤強化体形成工程
住宅の地盤１に地盤強化体３´を形成する（図６（ｂ））。地盤強化体形成工程Ｓ２２における地盤強化体３´としては、ラップルコンクリート、地盤改良体（ソイルコンクリート等）が好適である。この地盤強化体形成工程Ｓ２２は、請求項６における第一工程に相当する。
【００６６】
（Ｓ２３）  掘削工程
地盤強化体３´の下端辺ｐ（基礎２の下端辺の鉛直下方となる部分）から延びるせん断面Ｓの上方にある地盤１を掘削し、掘削面１ａ，１ｂ，１ｃを形成する。ここで、地盤強化体３´の上部および内側も掘削され、掘削面３ａ，３ｂを有する地盤強化体３として形を整えられる（図７（ａ））。これは、地盤強化体３´と地盤１との境目をきれいに掘削することが困難であるための処置である。なお、地盤強化体形成工程Ｓ２２において、地盤強化体３´の上面の高さを、予め掘削面３ｂの高さとなるように形成した場合には、上部の掘削は不要である。また、掘削面３ｂには止水板３１が設けられる。この掘削工程Ｓ２３は、請求項６における第二工程に相当する。
【００６７】
（Ｓ２４）  基礎構築工程
地盤強化体３の上に基礎２を構築する（図７（ｂ））。
【００６８】
（Ｓ２５）  仕上工程
地盤１の掘削面１ａ，１ｂ，１ｃ、地盤強化体３の掘削面３ａにモルタル８１を塗り、ピット１２、床面１３および壁面１４（図２参照）とする。また基礎２の床下収納空間１１側面にもモルタル８１を塗る（図８）。これら基礎構築工程Ｓ２４および仕上工程Ｓ２５は、請求項６における第三工程に相当する。また、基礎構築工程Ｓ２４と仕上工程Ｓ２５の順序は入れ替え可能であり、同時進行であってもよい。前記各工程終了後、図２に示すように床下収納空間１１として使用可能な状態とされる。
【００６９】
第二の施工方法においては、地盤強化体３´を形成した後に掘削を行うので、施工中における地盤１の崩壊のおそれがない。したがって、軟弱地盤における床下収納空間１１の施工に好適である。
【００７０】
（床下収納空間の他の実施形態）
図９は、本発明の他の実施形態に係る床下収納空間を示す鉛直断面図である。住宅の地盤１は予め改良杭Ｘによる地盤改良が施され、強度が高められている。したがって、そのせん断抵抗角φ´は、より大きくなり（φ´＞φ）、せん断面Ｓ´が地盤１のより深くまで到達するようになる。そのため、床下収納空間１１を形成可能な領域が大きくなる。また、地盤１が適度な強度を有することになり、施工時に容易に掘削することができる。なお、改良杭Ｘの位置、本数は任意であり、また改良杭以外の地盤改良体であってもよい。
【００７１】
また、掘削により発生した掘削土Ｙは、住宅の基礎施工後に、他の基礎に囲まれた空間に盛り替えられている。かかる構成により、住宅の敷地内で掘削土Ｙを処理することができ、コストを削減することができる。
【００７２】
かかる床下収納空間１１の他の実施形態の施工方法としては、前記第一・第二の施工方法において、測定工程Ｓ１１，Ｓ２１の前に、住宅１の地盤に改良を施す工程を行ったり、基礎構築工程Ｓ１４，Ｓ２４の後に、他の基礎に囲まれた空間に掘削土を盛り替える工程を行ったりすることが可能である。
【００７３】
（地盤強化体）
本発明における地盤強化体は、地盤の強度が高められたものであり、「地盤改良体」や「ラップルコンクリート」が好適である。このうち「地盤改良体」は、置換、固結、補強等により強度が高められた地盤である。また「ラップルコンクリート」は、粗石コンクリートとも呼ばれており、骨材として、通常よりも大きい（径１５０ｍｍ程度）玉石や砕石を含んだコンクリートである。また、地盤強化体として、コンクリートまたはスラリー状のソイルセメント（地盤改良体の一種）を用い、地盤強化体形成工程Ｓ１３，Ｓ２２において、地盤を掘削して形成した空間に、かかるコンクリートまたはスラリー状のソイルセメントを流し込み、固化させた場合には、地盤強化体形成時における締固めを簡略化または省略することができ、施工がより容易となる。特に、コンクリートとして流動化コンクリートを用いる場合には、締固め作業を省略することが可能である。そして、かかるスラリー状のソイルセメントの原料として、地盤を掘削することにより発生した掘削土を使用する場合には、掘削土の処理にかかるコストを削減できる。かかるスラリー状のソイルセメントとしては、床下収納空間が形成される住宅の近辺に設置されたソイルセメント製造プラントによって製造されたものが好適である。なお、スラリー状ではない、粉体からなるソイルセメントも地盤強化体の一種であり、かかるソイルセメントから地盤強化体を形成しても差し支えない。
【００７４】
なお、本発明は、その技術的思想の及ぶ範囲で適宜設定変更可能である。例えば、床下収納空間１１の床面１３および壁面１４の形状は、図示したものに限定されず、複数の段を有する形状や、テーパ面を有する形状とすることも可能である。
【００７５】
また、地盤強化体３は、基礎２の下端辺よりも内側に厚みを有する構成であってもよい。この場合には、基礎２の下端辺の鉛直下方にあたる位置から、せん断面Ｓが延びる構成となる。
【００７６】
また、地盤強化体３の形成範囲も適宜変更可能であり、基礎２や床下収納空間１１の安定のためには、より深く形成することが好ましい。
【００７７】
また、床下収納空間１１の仕上は、モルタルや化粧板によるものに限定されず、ショットクリート、防水性シート等によるものであってもよい。また、床下収納空間１１には、必要に応じて防水加工を施してもよい。
【００７８】
また、床下収納空間１１に燃料電池や金庫を設置することも可能である。燃料電池は、その大きさ、重量のため、住宅内に設置スペースを確保することは困難である。そこで、床下収納空間１１内に設置し、そこから住宅内へ配線することで、燃料電池が邪魔になることがない。金庫についても同様であり、また他者が気づきにくい場所となるため、防犯上好ましい。
【００７９】
また、床下収納空間１１内にコンセントを設置することや、床下収納空間１１を通気・排気可能とすることも可能である。その他、棚等を設置してもよい。
【図面の簡単な説明】
【００８０】
【図１】本発明の実施形態に係る床下収納空間を示す概略透斜視図である。
【図２】同鉛直断面図である。
【図３】本発明の実施形態に係る床下収納空間の第一の施工方法の工程説明図であり、（ａ）は測定工程Ｓ１１を示す鉛直断面図、（ｂ）は掘削工程Ｓ１２を示す鉛直断面図である。
【図４】図３に続く工程説明図であり、（ａ）は地盤強化体形成工程Ｓ１３の途中状態を示す鉛直断面図、（ｂ）は地盤強化体形成工程Ｓ１３の終了状態を示す鉛直断面図である。
【図５】図４に続く工程説明図であり、（ａ）は基礎構築工程Ｓ１４を示す鉛直断面図、（ｂ）は仕上工程Ｓ１５を示す鉛直断面図である。
【図６】本発明の実施形態に係る床下収納空間の第二の施工方法の工程説明図であり、（ａ）は測定工程Ｓ２１を示す鉛直断面図、（ｂ）は地盤強化体形成工程Ｓ２２を示す鉛直断面図である。
【図７】図６に続く工程説明図であり、（ａ）は掘削工程Ｓ２３を示す鉛直断面図、（ｂ）は基礎構築工程Ｓ２４を示す鉛直断面図である。
【図８】図７に続く工程説明図であり、仕上工程Ｓ２５を示す鉛直断面図である。
【図９】本発明の別の実施形態に係る床下収納空間を示す鉛直断面図である。
【図１０】特許文献１に記載の床下収納室を示す鉛直断面図である。
【図１１】特許文献１に記載の床下収納室の施工方法を説明する図である。
【図１２】せん断抵抗角を説明する図である。
【符号の説明】
【００８１】
１      地盤
２      基礎
３      地盤強化体
４      一階の床
１１    床下収納空間
１２    ピット
１３    床面
１４    壁面
４３    化粧板
５１，５２，８１  モルタル
φ，φ´  せん断抵抗角
Ｓ，Ｓ´  せん断面
Ｘ      改良杭
Ｙ      掘削土
【図１】
2005042535.tif 000003
【図２】
2005042535.tif 000004
【図３】
2005042535.tif 000005
【図４】
2005042535.tif 000006
【図５】
2005042535.tif 000007
【図６】
2005042535.tif 000008
【図７】
2005042535.tif 000009
【図８】
2005042535.tif 000010
【図９】
2005042535.tif 000011
【図１０】
2005042535.tif 000012
【図１１】
2005042535.tif 000013
【図１２】
2005042535.tif 000014